(57)【要約】【課題】商品の購入に際し、操作性を向上させる。【解決手段】ＣＰＵ１９は、購入する商品の検索画面をディスプレイ１３に表示するとともに、検索画面上に、商品名を入力するためのユーザ画面を表示する。この検索画面、ユーザ画面には、商品名の入力欄が配置される。ユーザ画面の入力欄に商品名が入力されると、ＣＰＵ１９は、入力された商品名を検索画面の入力欄に入力する。ＣＰＵ１９は、この商品名を、通信部１２、インターネットを介して指定した商品サーバに送信する。【選択図】図１
2008250827.tif 000002
【特許請求の範囲】
【請求項１】
商品の取り扱い元の所在地を示すアドレス情報と商品取得者が購入する商品に関する商品情報を入力する商品情報入力欄を有する商品取得者入力画面のデータを記憶する記憶部と、
前記記憶部が記憶するアドレス情報に従って前記取り扱い元にアクセスし、アクセスした前記取り扱い元から、前記商品情報の商品情報入力欄を有する商品情報入力画面のデータを受信する受信部と、
前記受信部が受信した前記データに基づいて前記商品情報入力画面を表示するとともに、前記記憶部が記憶するデータに基づいて前記商品取得者入力画面を表示する表示部と、
前記表示部が表示した商品取得者入力画面の商品情報入力欄に入力された商品情報を、前記商品情報入力画面の商品情報入力欄に入力する入力制御部と、を備えた、
ことを特徴とする情報端末装置。
【請求項２】
前記入力制御部が前記商品情報入力画面の商品情報入力欄に入力された商品情報を、アクセスした取り扱い元に送信する送信部を備えた、
ことを特徴とする請求項１に記載の情報端末送信装置。
【請求項３】
前記記憶部は、商品情報として、購入する商品の商品名を入力する商品名入力欄を有する商品取得者入力画面のデータを記憶し、
前記受信部は、購入する商品の商品名を入力する商品名入力欄を有する商品名入力画面のデータを受信する、
ことを特徴とする請求項１又は２に記載の情報端末装置。
【請求項４】
前記記憶部は、前記商品の種別を選択するための商品種別選択入力欄を有する商品取得者入力画面のデータを記憶するものであり、
前記受信部は、前記商品の種別を選択するための商品種別選択入力欄を有する商品種別選択画面のデータを受信する、
ことを特徴とする請求項１乃至３のいずれか１項に記載の情報端末装置。
【請求項５】
商品の取り扱い元の所在地を示すアドレス情報と商品取得者が購入する商品に関する商品情報を入力する商品情報入力欄を有する商品取得者入力画面のデータを記憶する記憶部と、
前記記憶部が記憶するアドレス情報に従って前記取り扱い元にアクセスし、アクセスした前記取り扱い元から、前記商品情報の商品情報入力欄を有する商品情報入力画面のデータを受信する受信部と、
前記受信部が受信した前記データに基づいて前記商品情報入力画面を表示するとともに、前記記憶部が記憶するデータに基づいて前記商品取得者入力画面を表示する表示部と、
前記表示部が表示した商品取得者入力画面の商品情報入力欄に入力された商品情報を、前記商品情報入力画面の商品情報入力欄に入力する入力制御部と、を備えた、
ことを特徴とするサーバ。
【請求項６】
前記入力制御部が前記商品情報入力画面の商品情報入力欄に入力された商品情報を、アクセスした取り扱い元に送信する送信部を備えた、
ことを特徴とする請求項５に記載のサーバ。
【請求項７】
前記記憶部は、商品情報として、購入する商品の商品名を入力する商品名入力欄を有する商品取得者入力画面のデータを記憶し、
前記受信部は、購入する商品の商品名を入力する商品名入力欄を有する商品名入力画面のデータを受信する、
ことを特徴とする請求項５又は６に記載のサーバ。
【請求項８】
前記記憶部は、前記商品の種別を選択するための商品種別選択入力欄を有する商品取得者入力画面のデータを記憶するものであり、
前記受信部は、前記商品の種別を選択するための商品種別選択入力欄を有する商品種別選択画面のデータを受信する、
ことを特徴とする請求項５乃至７のいずれか１項に記載のサーバ。
【請求項９】
商品の取り扱い元の所在地を示すアドレス情報と商品取得者が購入する商品に関する商品情報を入力する商品情報入力欄を有する商品取得者入力画面のデータを記憶するステップと、
記憶するアドレス情報に従って前記取り扱い元にアクセスし、アクセスした前記取り扱い元から、前記商品情報の商品情報入力欄を有する商品情報入力画面のデータを受信するステップと、
受信した前記データに基づいて前記商品情報入力画面を表示するとともに、記憶するデータに基づいて前記商品取得者入力画面を表示するステップと、
表示した商品取得者入力画面の商品情報入力欄に入力された商品情報を、前記商品情報入力画面の商品情報入力欄に入力するステップと、を備えた、
ことを特徴とする商品情報入力方法。
【請求項１０】
コンピュータに、
商品の取り扱い元の所在地を示すアドレス情報と商品取得者が購入する商品に関する商品情報を入力する商品情報入力欄を有する商品取得者入力画面のデータを記憶する手順、
記憶するアドレス情報に従って前記取り扱い元にアクセスし、アクセスした前記取り扱い元から、前記商品情報の商品情報入力欄を有する商品情報入力画面のデータを受信する手順、
受信した前記データに基づいて前記商品情報入力画面を表示するとともに、記憶するデータに基づいて前記商品取得者入力画面を表示する手順、
表示した商品取得者入力画面の商品情報入力欄に入力された商品情報を、前記商品情報入力画面の商品情報入力欄に入力する手順、
を実行させるためのプログラム。
【発明の詳細な説明】
【技術分野】
【０００１】
本発明は、情報端末装置、サーバ、商品情報入力方法及びプログラムに関するものである。
【背景技術】
【０００２】
近年、インターネット等のネットワークを介して商品を購入するオンラインショッピングが普及してきている。
【０００３】
そして、このようなオンラインショッピングを可能とするコンピュータシステムがあり（例えば、特許文献１参照）、電子ショッピングモール（電子商店街）も数多く存在する。ユーザが使用するユーザ端末は、インターネットに接続され、インターネットを介してこの電子ショッピングモールの仮想商店から商品を購入する。
【０００４】
【特許文献１】特開２００３−３１６９７０号公報（第４頁、図１）
【発明の開示】
【発明が解決しようとする課題】
【０００５】
しかし、各仮想商店は、そのシステムに独自に工夫を行っているため、ユーザ端末に表示される画面は、仮想商店毎に異なる。従って、ユーザ端末が各仮想商店街にアクセスする毎に、操作方法が相違し、操作が煩雑となる。
【０００６】
本発明は、このような従来の問題点に鑑みてなされたもので、商品の購入に際し、操作性を向上させることが可能な情報端末装置、サーバ、商品情報入力方法及びプログラムを提供することを目的とする。
【課題を解決するための手段】
【０００７】
この目的を達成するため、本発明の第１の観点に係る情報端末装置は、
商品の取り扱い元の所在地を示すアドレス情報と商品取得者が購入する商品に関する商品情報を入力する商品情報入力欄を有する商品取得者入力画面のデータを記憶する記憶部と、
前記記憶部が記憶するアドレス情報に従って前記取り扱い元にアクセスし、アクセスした前記取り扱い元から、前記商品情報の商品情報入力欄を有する商品情報入力画面のデータを受信する受信部と、
前記受信部が受信した前記データに基づいて前記商品情報入力画面を表示するとともに、前記記憶部が記憶するデータに基づいて前記商品取得者入力画面を表示する表示部と、
前記表示部が表示した商品取得者入力画面の商品情報入力欄に入力された商品情報を、前記商品情報入力画面の商品情報入力欄に入力する入力制御部と、を備えたことを特徴とする。
【０００８】
前記入力制御部が前記商品情報入力画面の商品情報入力欄に入力された商品情報を、アクセスした取り扱い元に送信する送信部を備えてもよい。
【０００９】
前記記憶部は、商品情報として、購入する商品の商品名を入力する商品名入力欄を有する商品取得者入力画面のデータを記憶し、
前記受信部は、購入する商品の商品名を入力する商品名入力欄を有する商品名入力画面のデータを受信するようにしてもよい。
【００１０】
前記記憶部は、前記商品の種別を選択するための商品種別選択入力欄を有する商品取得者入力画面のデータを記憶するものであり、
前記受信部は、前記商品の種別を選択するための商品種別選択入力欄を有する商品種別選択画面のデータを受信するようにしてもよい。
【００１１】
本発明の第２の観点に係るサーバは、
商品の取り扱い元の所在地を示すアドレス情報と商品取得者が購入する商品に関する商品情報を入力する商品入力欄を有する商品取得者入力画面のデータを記憶する記憶部と、
前記記憶部が記憶するアドレス情報に従って前記取り扱い元にアクセスし、アクセスした前記取り扱い元から、前記商品情報の商品情報入力欄を有する商品情報入力画面のデータを受信する受信部と、
前記受信部が受信した前記データに基づいて前記商品情報入力画面を表示するとともに、前記記憶部が記憶するデータに基づいて前記商品取得者入力画面を表示する表示部と、
前記表示部が表示した商品取得者入力画面の商品情報入力欄に入力された商品情報を、前記商品情報入力画面の商品情報入力欄に入力する入力制御部と、を備えたことを特徴とする。
【００１２】
前記入力制御部が前記商品情報入力画面の商品情報入力欄に入力された商品情報を、アクセスした取り扱い元に送信する送信部を備えてもよい。
【００１３】
前記記憶部は、商品情報として、購入する商品の商品名を入力する商品名入力欄を有する商品取得者入力画面のデータを記憶し、
前記受信部は、購入する商品の商品名を入力する商品名入力欄を有する商品名入力画面のデータを受信するようにしてもよい。
【００１４】
前記記憶部は、前記商品の種別を選択するための商品種別選択入力欄を有する商品取得者入力画面のデータを記憶するものであり、
前記受信部は、前記商品の種別を選択するための商品種別選択入力欄を有する商品種別選択画面のデータを受信するようにしてもよい。
【００１５】
本発明の第３の観点に係る商品情報入力方法は、
商品の取り扱い元の所在地を示すアドレス情報と商品取得者が購入する商品に関する商品情報を入力する商品入力欄を有する商品取得者入力画面のデータを記憶するステップと、
記憶するアドレス情報に従って前記取り扱い元にアクセスし、アクセスした前記取り扱い元から、前記商品情報の商品情報入力欄を有する商品情報入力画面のデータを受信するステップと、
受信した前記データに基づいて前記商品情報入力画面を表示するとともに、記憶するデータに基づいて前記商品取得者入力画面を表示するステップと、
表示した商品取得者入力画面の商品情報入力欄に入力された商品情報を、前記商品情報入力画面の商品情報入力欄に入力するステップと、を備えたことを特徴とする。
【００１６】
本発明の第４の観点に係るプログラムは、
コンピュータに、
商品の取り扱い元の所在地を示すアドレス情報と商品取得者が購入する商品に関する商品情報を入力する商品入力欄を有する商品取得者入力画面のデータを記憶する手順、
記憶するアドレス情報に従って前記取り扱い元にアクセスし、アクセスした前記取り扱い元から、前記商品情報の商品情報入力欄を有する商品情報入力画面のデータを受信する手順、
受信した前記データに基づいて前記商品情報入力画面を表示するとともに、記憶するデータに基づいて前記商品取得者入力画面を表示する手順、
表示した商品取得者入力画面の商品情報入力欄に入力された商品情報を、前記商品情報入力画面の商品情報入力欄に入力する手順、
を実行させるためのものである。
【発明の効果】
【００１７】
本発明によれば、商品の購入に際し、操作性が向上する。
【発明を実施するための最良の形態】
【００１８】
以下、本発明の実施形態に係る情報端末装置を図面を参照して説明する。尚、本実施形態では、情報端末装置を、ユーザ端末として説明する。
【００１９】
本実施形態に係るユーザ端末の構成を図１に示す。
【００２０】
本発明の実施の形態に係るユーザ端末１は、記憶部１１と、通信部１２と、ディスプレイ１３と、キーボード１４と、マウス１５と、記録媒体１６と、ＲＯＭ１７と、ＲＡＭ１８と、ＣＰＵ１９と、を備える。各部は、バス等を介して接続される。
【００２１】
このユーザ端末１は、商品の取得を希望する商品取得者としてユーザが使用する端末であり、図２に示すように、インターネット２等に接続される。商店サーバ３−１，３−２，・・・，３−ｎは、それぞれ、電子ショッピングモールのサーバであり、インターネット２に接続される。
【００２２】
ユーザ端末１は、インターネット２を介して各商店サーバ３−１，３−２，・・・，３−ｎにアクセスし、ユーザが希望する商品を購入する機能を備えている。
【００２３】
商店サーバ３−１〜３−ｎは、それぞれ、ＣＧＩ（Common Gateway Interface）プログラムを有し、ユーザ端末１の要求に応答してＣＧＩプログラムを起動する。起動したＣＧＩプログラムは、ユーザ端末１にＨＴＭＬ（HyperText Markup Language）ファイルを送信する。
【００２４】
ユーザ端末１は、このＨＴＭＬファイルを受信してディスプレイ１３に画面を表示する。このようにしてユーザ端末１は、商店サーバ３−１〜３−ｎとの間でデータの送受信を行う。
【００２５】
商店サーバ３−１は、購入する商品の商品情報として、商品名を検索するための図３（ａ）に示すような検索画面３１−１のデータと、商品名によって検索された商品情報として、図３（ｂ）に示すような商品の種別を示す商品種別選択画面３１−２のデータと、を記憶する。
【００２６】
検索画面３１−１には、図３（ａ）に示すように、商品情報入力欄として、商品名を入力する入力欄４１−１が配置される。
【００２７】
また、商品種別選択画面３１−２には、図３（ｂ）に示すようにラジオボタン４１−２〜４１−５が配置される。
【００２８】
これらのラジオボタン４１−２〜４１−５は、商品種別を選択するデータを入力する商品情報入力欄である。ラジオボタン４１−２は、色を指定するデータを入力して色を選択するためのボタンである。
【００２９】
ラジオボタン４１−２が選択されないと、色指定は行われないことを示す。ラジオボタン４１−３〜４１−５は、それぞれ、商品の種別として、赤色、黒色、青色を選択するデータを入力して色を指定ためのものである。
【００３０】
ラジオボタン４１−２が選択されて、ラジオボタン４１−３〜４１−５のいずれか１つが選択されると、選択されたラジオボタンに対応する色が選択されることになる。
【００３１】
商店サーバ３−２は、図４（ａ）に示すような検索画面３２−１のデータと、図４（ｂ）に示すような商品種別選択画面３２−２のデータと、を記憶する。
【００３２】
検索画面３２−１には、図４（ａ）に示すように、商品名を入力する入力欄４２−１が配置される。また、商品種別選択画面３２−２には、図４（ｂ）に示すように商品種別を選択するための入力欄４２−２が配置される。これらのデータは、すべてＨＴＭＬファイルのデータであり、商店サーバ３−３〜３−ｎも同様のデータを記憶する。
【００３３】
記憶部１１は、ＨＤＤ（Hard Disk Drive）、不揮発性メモリ等からなるものであり、種々のデータを記憶する。
【００３４】
記憶部１１は、種々のデータとして、例えば、図５に示すように、各商店サーバ３−１，３−２，・・・，３−ｎのＵＲＬ（Uniform Resource Locator）を記憶する。
【００３５】
ＵＲＬは、インターネット２上の情報資源として、商店サーバ３−１，３−２，・・・，３−ｎ、ＣＧＩプログラムの存在場所を指し示すアドレス情報である。
【００３６】
また、記憶部１１は、図６に示すような対応関係テーブルを記憶する。この対応関係テーブルは、商品名と商品を識別する商品ＩＤとの対応関係を示す対応関係情報である。
【００３７】
尚、商品ＩＤは、商品の色等の商品種別毎に、商品を指定するための商品識別情報であり、商店サーバ３−１〜３−ｎから送信されてＣＰＵ１９が、この商品ＩＤを記憶部１１に格納する。
【００３８】
また、記憶部１１は、図７（ａ）〜（ｄ）にそれぞれ示すようなユーザ画面５１〜５４のデータを記憶する。このユーザ画面５１〜５４は、ユーザのデータ入力を受け付けるユーザ入力画面である。
【００３９】
このユーザ画面５１〜５４は、レイアウト等を含めてＨＴＭＬで記述された各ユーザ向けにカスタマイズ（customize）可能なものである。
【００４０】
図７（ａ）に示すユーザ画面５１は、商店サーバ又は商品を選択するためのユーザ画面であり、商店選択ボタン６１と商品選択ボタン６２とが配置される。
【００４１】
商店選択ボタン６１は、図７（ｂ）に示すようなユーザ画面５２に表示を切り替えるためのボタンであり、商品選択ボタン６２は、図７（ｃ）に示すようなユーザ画面５３に表示を切り替えるためのボタンである。
【００４２】
図７（ｂ）に示すユーザ画面５２は、商店サーバ３−１〜３−ｎのうちからいずれかの商店サーバを選択するためのユーザ画面である。このユーザ画面５１には、商店選択ボタン６１と、商品選択ボタン６２と、それぞれ、商店サーバ３−１，３−２，・・・，３−ｎを選択するためのラジオボタン６３−１，６３−２，・・・，６３−ｎが配置される。
【００４３】
図７（ｃ）に示すユーザ画面５３は、商品を選択し、商品情報として商品名を入力するためのユーザ画面である。ユーザ画面５３には、商店選択ボタン６１と、商品選択ボタン６２と、商品カテゴリーの一覧と、検索する商品を入力するための入力欄６４と、決定ボタン６５が配置される。
【００４４】
図７（ｄ）に示すユーザ画面５４は、商品情報として、例えば、商品の色のような商品の種別を選択するためのユーザ画面であり、ユーザ画面５３の入力欄６４に商品名が入力されて決定ボタン６５が選択されたときに表示される画面である。ユーザ画面５４には、商店選択ボタン６１と、商品選択ボタン６２と、ラジオボタン６６−１〜６６−４と、買い物かごボタン６７と、が配置される。
【００４５】
また、記憶部１１は、図８に示すような商品の購入に必要な購入情報として、送り先住所と、送り先の氏名と、送り先の連絡先と、送り人の氏名と、送り人の住所と、送り人の連絡先と、支払い方法と、を記憶する。
【００４６】
通信部１２は、インターネット２を介して、商店サーバ３−1，３−２，・・・，３−ｎとの間でデータの送受信を行うものである。
【００４７】
ディスプレイ１３は、供給されたデータに基づいて画像を表示するものである。ディスプレイ１３は、画像として、受信した各商店サーバ３−1，３−２，・・・，３−ｎから受信したデータに基づいて、図３（ａ），（ｂ）、図４（ａ），（ｂ）に示すような画面を表示するとともに、図７（ａ）〜（ｄ）に示すようなユーザ画面５１〜５４、マウスカーソル、アイコン等を表示するものである。
【００４８】
このディスプレイ１３には、ＣＲＴ、液晶ディスプレイ装置、プラズマディスプレイ装置等が用いられる。
【００４９】
キーボード１４は、データを入力するためのものであり、文字入力キー、カーソルキー、エンターキー等を備える。キーボード１４は、これらのキーが操作されると、この操作情報をＣＰＵ１９に供給する。
【００５０】
マウス１５は、ディスプレイ１３の表示画面２１に表示されたマウスカーソルを移動させたり、データを入力したりするための装置である。マウス１５は、マウスカーソルの移動量を、ディスプレイ１３の水平方向、垂直方向にカウントする。
【００５１】
また、マウス１５は、カウントしたカウント値を確定するためのクリックボタン（図示せず）を備え、このクリックボタンが操作されると、カウントしたカウント値をＣＰＵ１９に供給する。
【００５２】
記録媒体１６は、データを記憶するものであり、外部インタフェース（図示せず）を介してＣＰＵ１９と着脱自在に接続される。記録媒体１６には、不揮発性メモリと、ＣＤ（Compact Disk）、ＤＶＤ（Digital Versatile Disk）、ＭＯ（Magneto Optical disk）のような光ディスクと、」が用いられる。
【００５３】
ＲＯＭ（Read Only Memory）１７は、ＣＰＵ１９が実行するプログラム、ウェブブラウザ等のデータを記憶するものである。ウェブブラウザ（browser；以後、「ブラウザ」を記す。）は、World Wide Webでハイパーテキストのリンクを辿りながらウェブページを表示するソフトウェアであり、商店サーバ３−１〜３−ｎから受信したＨＴＭＬファイルにより画面表示を行う。
【００５４】
ＲＡＭ（Random Access Memory）１８は、ＣＰＵ１９がプログラムを実行するのに必要なデータを記憶するものである。
【００５５】
ＣＰＵ（Central Processing Unit）１９は、ＲＯＭ１７に記憶したプログラムデータを読み出して、このプログラムに従ってユーザ端末１全体を制御するものである。
【００５６】
ＣＰＵ１９は、キーボード１４から供給された操作情報、マウス１５から供給されたカウント値に基づいて操作を判別し、判別した操作に従って、各部を制御する。
【００５７】
次に本実施形態に係るユーザ端末１の動作を説明する。
【００５８】
ＣＰＵ１９は、ディスプレイ１３に図７（ａ）に示すユーザ画面５１を表示する。
【００５９】
ＣＰＵ１９は、ＲＯＭ１７から、処理プログラムのデータを読み出し、図９、１０に示すフローチャートに従って、この処理を実行する。
【００６０】
ＣＰＵ１９は、ユーザ画面５１において、商店選択ボタン６１が選択されたことを判別すると、ユーザ画面５２のデータを記憶部１１から読み出して、このユーザ画面５２をディスプレイ１３に表示する（ステップＳ１１）。
【００６１】
ＣＰＵ１９は、ラジオボタン６３−１，６３−２，・・・，６３−ｎからいずれかのラジオボタンが選択されたことを判別すると、ＲＯＭ１７からブラウザのデータを読み出して、ブラウザを立ち上げる。
【００６２】
そして、ＣＰＵ１９は、商店サーバ３−1，３−２，・・・，３−ｎのうちから、選択されたラジオボタンに対応する商品サーバの指定を受け付ける（ステップＳ１２）。
【００６３】
ＣＰＵ１９は、商店サーバ３−１〜３−ｎのうちから指定された商店サーバのＵＲＬを記憶部１１から取得する（ステップＳ１３）。
【００６４】
ＣＰＵ１９は、取得したＵＲＬに従って、指定された商品サーバにアクセスする（ステップＳ１４）。
【００６５】
指定された商店サーバは、このアクセスを受け付け（ステップＳ１５）、図３（ａ）に示すような検索画面３１−１のデータ、図４（ａ）に示すような検索画面３１−２のデータを送信する（ステップＳ１６）
ＣＰＵ１９は、商店サーバが送信したデータを、通信部１２を介して受信する（ステップＳ１７）。
【００６６】
ＣＰＵ１９は、受信したデータに基づいてディスプレイ１３に検索画面を表示する（ステップＳ１８）。
【００６７】
ＣＰＵ１９は、ユーザ画面５２において、商品選択ボタン６２が選択されたことを判別すると、ディスプレイ１３に表示された検索画面に、商品を選択するユーザ画面５３を表示する（ステップＳ１９）。
【００６８】
ＣＰＵ１９は、ユーザ画面５３において、入力欄６４に商品名が入力されて決定ボタン６５が選択され、キーボード１４又はマウス１５で検索画面内が選択されたことを判別すると、入力欄６４に入力された商品名を検索画面の入力欄に入力する（ステップＳ２０）。
【００６９】
ＣＰＵ１９は、取得した商品名を商店サーバに送信する（ステップＳ２１）。商店サーバは、ユーザ端末１から送信された商品名を受信し（ステップＳ２２）、商品種別選択画面のデータと、商品とその種別とを示す商品ＩＤをユーザ端末１に送信する（ステップＳ２３）。
【００７０】
ＣＰＵ１９は、商店サーバから送信されたデータと商品ＩＤとを、通信部１２を介して受信する（ステップＳ２４）。
【００７１】
ＣＰＵ１９は、受信した商品ＩＤを記憶部１１の対応関係テーブルの商品ＩＤ欄に格納する（ステップＳ２５）。
【００７２】
ＣＰＵ１９は、受信したデータに基づいて、ディスプレイ１３に、商品種別選択画面を表示する（ステップＳ２６）。
【００７３】
ＣＰＵ１９は、ディスプレイ１３に表示した商品種別選択画面上に、商品の種別を選択するユーザ画面５４を表示する（ステップＳ２７）。
【００７４】
ＣＰＵ１９は、商品の種別が選択されたことを判別すると、商品の種別の選択を受け付ける（ステップＳ２８）。
【００７５】
ＣＰＵ１９は、ユーザ画面５４のラジオボタン６６−１〜６６−４のいずれかが選択され、キーボード１４又はマウス１５で商品種別選択画面内が選択されると、商品種別選択画面の入力欄に商品種別を入力する（ステップＳ２９）。
【００７６】
ＣＰＵ１９は、記憶部１１に記憶された対応関係テーブルを参照し、商品ＩＤを取得する（ステップＳ３０）。
【００７７】
ＣＰＵ１９は、記憶部１１から、購入情報を読み出して、この購入情報を取得する（ステップＳ３１）。
【００７８】
ＣＰＵ１９は、取得した商品ＩＤと購入情報とを商店サーバに送信する（ステップＳ３２）。
【００７９】
商店サーバは、ユーザ端末１から送信された商品ＩＤと購入情報とを受信する（ステップＳ３３）。
【００８０】
次に、このユーザ端末１の動作を具体的に説明する。
【００８１】
例えば、ユーザによって商店サーバ３−１が指定されると、ＣＰＵ１９は、記憶部１１を参照し、指定された商店サーバ３−１のＵＲＬを取得する（ステップＳ１３の処理）。
【００８２】
ＣＰＵ１９は、取得したＵＲＬに基づいて、商店サーバ３−１にアクセスし、図３（ａ）に示すような商店サーバ３−１の検索画面３１−１をディスプレイ１３に表示する（ステップＳ１４〜Ｓ１８の処理）。
【００８３】
ＣＰＵ１９は、記憶部１１から、図７（ｃ）に示すようなユーザ画面５３のデータを読み出し、図１１（ａ）に示すように、検索画面３１−１上にユーザ画面５３を表示する（ステップＳ１９の処理）。
【００８４】
ボールペンを購入するときは、図１１（ａ）に示すユーザ画面５３の入力欄６４に、商品名として、例えば、ボールペンを入力して決定ボタン６５を選択し、キーボード１４又はマウス１５で検索画面３１−１内を選択する。
【００８５】
ＣＰＵ１９は、キーボード１４又はマウス１５で検索画面３１−１内が選択されると、この操作を判別して、矢印マーク６８を検索画面３１−１内に表示する。
【００８６】
ＣＰＵ１９は、購入する商品としてボールペンが選択されたことを判別し、入力欄６４に入力されたボールペンを検索画面３１−１の商品入力欄４１−１に入力する（ステップＳ２０の処理）。
【００８７】
ＣＰＵ１９が、このボールペンを商店サーバ３−１に送信すると、商店サーバ３−１は、商品の種別として、このボールペンの色を選択するための商品種別選択画面３１−２のデータと商品ＩＤを、ユーザ端末１に送信する（ステップＳ２１〜Ｓ２３の処理）。
【００８８】
ＣＰＵ１９は、このデータと商品ＩＤとを受信して商品ＩＤを記憶部１１に格納し、図１１（ｂ）に示すような商品種別選択画面３１−２をディスプレイ１３に表示する（ステップＳ２４〜Ｓ２６の処理）。
【００８９】
また、ＣＰＵ１９は、商品種別選択画面３１−２上にユーザ画面５４を表示する（ステップＳ２７の処理）。
【００９０】
ラジオボタン６６−２が選択され、買い物かごボタン６７が選択されると、ＣＰＵ１９は、ボールペンの種別として赤色が選択されたことを判別し、選択されたボールペンの種別を受け付ける（ステップＳ２８の処理）。
【００９１】
そして、ＣＰＵ１９は、キーボード１４又はマウス１５で商品種別選択画面３１−２内が選択されると、商品種別選択画面３１−２の入力欄として、ラジオボタン４１−２を選択し、ボールペンの種別として赤色を入力する（ステップＳ２９の処理）。
【００９２】
そして、ＣＰＵ１９は、記憶部１１の対応関係テーブルを参照し、この赤色のボールペンに対応する商品ＩＤを取得し、記憶部１１から購入情報を取得し、取得した商品ＩＤと購入情報とを商店サーバ３−１に送信する（ステップＳ３２の処理）。
【００９３】
商店サーバ３−１は、ユーザ端末１から送信されたボールペンの商品ＩＤと購入情報とを受信し（ステップＳ３３の処理）、受信した商品ＩＤに対応するこの赤色のボールペンは、購入情報に含まれている送り先に配送される。
【００９４】
一方、ユーザによって商店サーバ３−２が指定された場合も同様であり、図１２（ａ）に示すように、ＣＰＵ１９は、検索画面３２−１上にユーザ画面５３を表示する（ステップＳ１９の処理）。
【００９５】
ＣＰＵ１９は、図１２（ａ）に示すユーザ画面５３の入力欄６４に、同じく商品名としてボールペンが入力され、決定ボタン６５が選択され、キーボード１４又はマウス１５で検索画面３２−１内が選択されたことを判別すると、商品名として、入力欄６４に入力されたボールペンを検索画面３２−１の商品入力欄４２−１に入力する（ステップＳ２０の処理）。
【００９６】
また、ＣＰＵ１９は、図１２（ｂ）に示すように、商品種別選択画面３２−２上にユーザ画面５４を表示する（ステップＳ２７の処理）。
【００９７】
そして、ラジオボタン６６−２が選択され、買い物かごボタン６７が選択されると、ＣＰＵ１９は、ボールペンの種別として赤色が選択されたことを判別し、選択されたボールペンの種別を受け付ける（ステップＳ２８の処理）。
【００９８】
そして、ＣＰＵ１９は、キーボード１４又はマウス１５で商品種別選択画面３２−２内が選択されると、商品種別選択画面３２−２の入力欄４２−１に、ボールペンの種別として赤色を入力する（ステップＳ２９の処理）。
【００９９】
従って、商店サーバ３−１であっても、商店サーバ３−２であっても、それぞれ、検索画面３１−１，３２−１上に表示されるユーザ画面５３、商品種別選択画面３１−２，３２−２上に表示されるユーザ画面５４は同一である。
【０１００】
このため、検索画面、商品種別選択画面が異なるものであっても、商品名、商品種別は同じ操作方法で入力可能となり、商品購入の操作が容易となる。
【０１０１】
以上説明したように、本実施形態によれば、ＣＰＵ１９は、商品を購入するためのユーザ専用のユーザ画面５３，５４を、それぞれ、検索画面３１−１，３２−１上、商品種別選択画面３１−２，３２−２上に表示するようにした。
【０１０２】
そして、ユーザ画面５３の入力欄６４に入力されたデータを、検索画面３１−１の入力欄４１−１又は検索画面３２−１の入力欄４２−１に入力するようにした。
【０１０３】
また、ユーザ画面５４のラジオボタン６６−１〜６６−４に入力されたデータを、商品種別選択画面３１−２のラジオボタン４１−２〜４１−５、又は商品種別選択画面３２−２の入力欄４２−２に入力するようにした。
【０１０４】
従って、検索画面、商品種別選択画面が商店サーバ３−１〜３−ｎ毎に異なるものであっても、ユーザ画面５３，５４の入力欄に商品情報を入力すれば、検索画面、商品種別選択画面に商品情報が入力されるので、商品の購入に際し、操作性を向上させることができる。
【０１０５】
尚、本発明を実施するにあたっては、種々の形態が考えられ、上記実施形態に限られるものではない。
【０１０６】
例えば、上記実施形態では、ユーザ端末１について説明した。しかし、ユーザ端末１との間でデータの送受信を行うサーバが、ユーザ端末１と同じような処理を行うこともできる。
【０１０７】
この場合、図１３に示すように、インターネット２にサーバ４が接続され、このサーバ４は、ユーザ端末１との間でデータの送受信を行う。また、このサーバ４は、図１に示すように構成され、図９，１０に示すフローチャートに従い、ユーザ端末１と同じように、このフローチャートに示す処理を行う。
【０１０８】
また、上記実施形態では、商品の購入について説明した。しかし、これに限られるものではなく、例えば、ネットオークションについても本実施形態を適用できる。
【０１０９】
また、上記実施形態では、ユーザが商店サーバ３−１〜３−ｎのうちからいずれかの商店サーバを指定するようにした。しかし、例えば、ユーザが商品名を入力すると、この商品名に該当する商品を扱っている商店サーバを検索するようにすることもできる。
【０１１０】
この際、商品の値段、配送日等に基づいて、商店サーバ３−１〜３−ｎに優先度を設定し、ユーザ画面に優先度の高い商店サーバから順に表示させることができる。
【０１１１】
上記実施形態では、ＣＰＵ１９は、例えば、キーボード１４又はマウス１５で検索画面内が選択されたことを判別すると、入力欄６４に入力された商品名を検索画面の入力欄に入力するようにした。しかし、キーボード１４又はマウス１５の操作を伴わずにこのような処理を行うこともできる。
【０１１２】
即ち、ディスプレイ１３に画面表示するデータはＨＴＭＬで記述されたデータであるため、ＣＰＵ１９は、このデータを解読し、入力欄６４に入力された商品名を検索画面の入力欄に入力する。これにより、キーボード１４又はマウス１５の操作を伴わずにこのような処理を行うことができる。
【０１１３】
上記実施形態では、ユーザ画面５１〜５４を記憶部１１に記憶するものとして説明した。しかし、記録媒体１６がこのユーザ画面５１〜５４を記憶するようにしてもよい。
【０１１４】
さらに、ＲＯＭ１７が記憶するプログラムデータを記録媒体１６が記憶するようにしてもよい。このようにすれば、この記録媒体１６を他の端末に接続することにより、他の端末でも同様の処理を実行することができる。
【０１１５】
また、このプログラムを格納した記録媒体１６を配布し、これを別のコンピュータにインストールし、上述の手段として動作させ、あるいは、上述の工程を実行させてもよい。
【０１１６】
さらに、インターネット２上のサーバ装置が有するディスク装置等にプログラムを格納しておき、例えば、搬送波に重畳させて、コンピュータにダウンロード等するものとしてもよい。
【図面の簡単な説明】
【０１１７】
【図１】本発明の実施形態に係るユーザ端末の構成を示すブロック図である。
【図２】図１に示すユーザ端末と各商店サーバとがインターネットを介して接続されたシステムを示す図である。
【図３】商店サーバから受信したデータの画面を示す図であり、（ａ）は、検索画面を示し、（ｂ）は、商品種別選択画面を示す。
【図４】別の商店サーバから受信したデータの画面を示す図であり、（ａ）は、検索画面を示し、（ｂ）は、商品種別選択画面を示す。
【図５】図１に示す記憶部が記憶する商店サーバのプログラムのＵＲＬを示す図である。
【図６】図１に示す記憶部が記憶する対応関係テーブルを示す図である。
【図７】図１に示す記憶部が記憶するユーザ画面を示す図であり、（ａ）は、商店サーバ又は商品を選択するためのユーザ画面を示し、（ｂ）は、複数の商店サーバのうちからいずれかの商店サーバを選択するためのユーザ画面を示し、（ｃ）は、商品を選択して商品名を入力するためのユーザ画面を示し、（ｄ）は、商品の種別を選択するためのユーザ画面を示す。
【図８】図１に示す記憶部が記憶する購入情報を示す図である。
【図９】ユーザ端末、商店サーバの処理内容を示すフローチャート（その１）である。
【図１０】ユーザ端末、商店サーバの処理内容を示すフローチャート（その２）である。
【図１１】具体例としてディスプレイに表示される画面を示す図であり、（ａ）は、商店サーバから受信したデータに基づいて検索画面を表示して、ユーザ画面を表示し、商品名を入力する例を示し、（ｂ）は、商品種別選択画面を表示してユーザ画面を表示し、商品種別を入力する例を示す。
【図１２】具体例としてディスプレイに表示される画面を示す図であり、（ａ）は、別の商店サーバから受信したデータに基づいて検索画面を表示して、ユーザ画面を表示し、商品名を入力する例を示し、（ｂ）は、商品種別選択画面を表示してユーザ画面を表示し、商品種別を入力する例を示す。
【図１３】応用例として、図１に示すユーザ端末の代わりにサーバが上記処理を実行するように構成されたシステムを示す図である。
【符号の説明】
【０１１８】
１  ユーザ端末
２  インターネット
３−１〜３−ｎ  商店サーバ
４  サーバ
１１  記憶部
１２  通信部
１３  ディスプレイ
１４  キーボード
１５  マウス
１６  記録媒体
１９  ＣＰＵ
５１〜５４  ユーザ画面
【図１】
2008250827.tif 000003
【図２】
2008250827.tif 000004
【図３】
2008250827.tif 000005
【図４】
2008250827.tif 000006
【図５】
2008250827.tif 000007
【図６】
2008250827.tif 000008
【図７】
2008250827.tif 000009
【図８】
2008250827.tif 000010
【図９】
2008250827.tif 000011
【図１０】
2008250827.tif 000012
【図１１】
2008250827.tif 000013
【図１２】
2008250827.tif 000014
【図１３】
2008250827.tif 000015